(57)【要約】【課題】クレジットカード契約者以外の者であって当該クレジットカード契約に係るクレジットカード媒体を持たない者が、安全かつ簡易に契約者のクレジットカード機能を利用することができる技術を提供する。【解決手段】  決済装置であって、クレジットカードを特定する情報と当該クレジットカードによる決済対象の条件とを含む情報をコード化した画像情報と、決済対象の情報と、を含む決済依頼を受け付けて決済するクレジットカード決済処理部と、決済依頼における画像情報をデコードして得られる決済対象の条件を決済対象の情報が満たす場合に、決済依頼に係る支払いを承認する支払承認処理部と、を備える。【選択図】図１
2018005734.tif 000002
【特許請求の範囲】
【請求項１】
クレジットカードを特定する情報と当該クレジットカードによる決済対象の条件とを含む情報をコード化した画像情報と、決済対象の情報と、を含む決済依頼を受け付けて決済するクレジットカード決済処理部と、
前記決済依頼における前記画像情報をデコードして得られる決済対象の条件を前記決済対象の情報が満たす場合に、前記決済依頼に係る支払いを承認する支払承認処理部と、
を備えることを特徴とする決済装置。
【請求項２】
請求項１に記載の決済装置であって、
前記クレジットカードによる決済対象の条件の希望を受け付けて、受け付けた前記条件の希望について前記クレジットカードの契約者の承認を得ると、前記クレジットカードを特定する情報と当該クレジットカードによる前記決済対象の前記条件とを含む情報をコード化し前記画像情報を生成する事前支払承認処理部、
を備えることを特徴とする決済装置。
【請求項３】
請求項２に記載の決済装置であって、
前記事前支払承認処理部は、前記クレジットカードの契約者が予め許可した許可対象者からの前記決済対象の前記条件の希望について承認を得ると、前記画像情報を生成する、
ことを特徴とする決済装置。
【請求項４】
請求項２に記載の決済装置であって、
前記事前支払承認処理部は、前記決済対象の前記条件の希望を前記決済対象ごとに受け付けている場合には、前記決済対象ごとに承認を得て、承認された前記決済対象の前記条件の希望を一つまたは複数含む前記画像情報を生成する、
ことを特徴とする決済装置。
【請求項５】
請求項２に記載の決済装置であって、
前記事前支払承認処理部は、前記決済対象のうち承認を得られなかった対象について、メッセージを決済依頼元へ表示させる、
ことを特徴とする決済装置。
【請求項６】
請求項２に記載の決済装置であって、
前記決済対象の前記条件には、購入商品の情報を含む、
ことを特徴とする決済装置。
【請求項７】
請求項２に記載の決済装置であって、
前記決済対象の前記条件には、購入商品の上限価格を含む、
ことを特徴とする決済装置。
【請求項８】
請求項２に記載の決済装置であって、
前記決済対象の前記条件には、購入商品の数量を含む、
ことを特徴とする決済装置。
【請求項９】
決済装置を用いたクレジットカードの決済方法であって、
前記決済装置は、制御部と、前記クレジットカードの情報を記憶するカード情報記憶部と、を備え、
前記制御部は、
前記クレジットカードを特定する情報と当該クレジットカードによる決済対象の条件とを含む情報をコード化した画像情報と、決済対象の情報と、を含む決済依頼を受け付けて決済するクレジットカード決済処理ステップと、
前記決済依頼における前記画像情報をデコードして得られる決済対象の条件を前記決済対象の情報が満たす場合に、前記決済依頼に係る支払いを承認する支払承認処理ステップと、
を実施することを特徴とする決済方法。
【発明の詳細な説明】
【技術分野】
【０００１】
本発明は、決済装置および決済方法に関するものである。
【背景技術】
【０００２】
様々な物やサービス提供の対価として金銭を授受する際に、クレジットカード会社により支払いを代行するためのクレジットカードを用いた決済が普及している。一般に、このような支払においては、物やサービスの需要者自らのクレジットカード利用契約に基づき所定の電子情報を記憶するクレジットカードに対して、読取端末を介して電子情報を読み取り、決済を行う。
【０００３】
特許文献１には、カードに記録されたカード情報を読み取る読み取り手段と、読み取ったカード情報の全部又は一部を送信する送信手段と、前記カード情報に対応する住所情報を受信する受信手段と、受信した住所情報をナビゲーション装置等に出力する手段を有する装置について記載されている。
【先行技術文献】
【特許文献】
【０００４】
【特許文献１】特開２００２−２５９５１５号公報
【発明の概要】
【発明が解決しようとする課題】
【０００５】
上記技術は、物やサービスの需要者自らのクレジットカード利用契約に基づくクレジットカード媒体を用いて決済するものである。そのため、クレジットカード契約が需要者によらないものであって、かつ、一時的に需要者にクレジットカード利用を許可する必要の有る使用状況においては有効なものとはいえない。例えば、クレジットカード媒体を持たず遠隔地にいる子ども等の近親者の支払いを、その親のクレジットカード利用契約により賄うような使い方の場合には、クレジットカードを用いて安全に決済を行うことはできなかった。
【０００６】
本発明の目的は、クレジットカード契約者以外の者であって当該クレジットカード契約に係るクレジットカード媒体を持たない者が、安全かつ簡易に契約者のクレジットカード機能を利用することができる技術を提供することにある。
【課題を解決するための手段】
【０００７】
本願は、上記課題の少なくとも一部を解決する手段を複数含んでいるが、その例を挙げるならば、以下のとおりである。本発明の一態様に係る決済装置は、クレジットカードを特定する情報と当該クレジットカードによる決済対象の条件とを含む情報をコード化した画像情報と、決済対象の情報と、を含む決済依頼を受け付けて決済するクレジットカード決済処理部と、上記決済依頼における上記画像情報をデコードして得られる決済対象の条件を上記決済対象の情報が満たす場合に、上記決済依頼に係る支払いを承認する支払承認処理部と、を備えることを特徴とする。
【０００８】
また、上記の決済装置においては、上記クレジットカードによる決済対象の上記条件の希望を受け付けて、受け付けた上記条件の希望について上記クレジットカードの契約者の承認を得ると、上記クレジットカードを特定する情報と当該クレジットカードによる決済対象の上記条件とを含む情報をコード化し上記画像情報を生成する事前支払承認処理部、を備えることを特徴とするものであってもよい。
【０００９】
また、上記の決済装置においては、上記事前支払承認処理部は、上記クレジットカードの契約者が予め許可した許可対象者からの上記決済対象の上記条件の希望について承認を得ると、上記画像情報を生成する、ことを特徴とするものであってもよい。
【００１０】
また、上記の決済装置においては、上記事前支払承認処理部は、上記決済対象の上記条件の希望を決済対象ごとに受け付けている場合には、上記決済対象ごとに承認を得て、承認された上記決済対象の条件の希望を一つまたは複数含む上記画像情報を生成する、ことを特徴とするものであってもよい。
【００１１】
また、上記の決済装置においては、上記事前支払承認処理部は、上記決済対象のうち承認を得られなかった対象について、メッセージを決済依頼元へ表示させる、ことを特徴とするものであってもよい。
【００１２】
また、上記の決済装置においては、上記決済対象の上記条件には、購入商品の情報を含む、ことを特徴とするものであってもよい。
【００１３】
また、上記の決済装置においては、上記決済対象の上記条件には、購入商品の上限価格を含む、ことを特徴とするものであってもよい。
【００１４】
また、上記の決済装置においては、上記決済対象の上記条件には、購入商品の数量を含む、ことを特徴とするものであってもよい。
【００１５】
また、本発明の他の態様に係るクレジットカードの決済方法は、決済装置を用いたクレジットカードの決済方法であって、上記決済装置は、制御部と、上記クレジットカードの情報を記憶するカード情報記憶部と、を備え、上記制御部は、クレジットカードを特定する情報と当該クレジットカードによる決済対象の上記条件とを含む情報をコード化した画像情報と、決済対象の情報と、を含む決済依頼を受け付けて決済するクレジットカード決済処理ステップと、上記決済依頼における上記画像情報をデコードして得られる決済対象の条件を上記決済対象の情報が満たす場合に、上記決済依頼に係る支払いを承認する支払承認処理ステップと、を実施する。
【発明の効果】
【００１６】
本発明によると、クレジットカード契約者以外の者であって当該クレジットカード契約に係るクレジットカード媒体を持たない者が、安全かつ簡易に契約者のクレジットカード機能を利用することができる。
【００１７】
上記した以外の課題、構成および効果は、以下の実施形態の説明により明らかにされる。
【図面の簡単な説明】
【００１８】
【図１】実施形態に係る決済システムのブロック図である。
【図２】カード情報記憶部に格納されるデータ構造を示す図である。
【図３】購入希望情報記憶部に格納されるデータ構造を示す図である。
【図４】商品情報記憶部に格納されるデータ構造を示す図である。
【図５】決済装置のハードウェア構成例を示す図である。
【図６】購入者端末のハードウェア構成例を示す図である。
【図７】店舗決済装置のハードウェア構成例を示す図である。
【図８】事前支払承認利用処理のフローを示す図である。
【図９】支払承認利用処理のフローを示す図である。
【図１０】事前支払承認利用処理の代理支払者選択画面の例を示す図である。
【図１１】事前支払承認利用処理の事前承認商品入力画面の例を示す図である。
【図１２】事前支払承認利用処理の事前承認画面の例を示す図である。
【図１３】支払承認利用処理の代理支払メッセージ画面の例を示す図である。
【図１４】支払承認利用処理の代理支払承認画面の例を示す図である。
【図１５】支払承認利用処理の代理支払確認画面の例を示す図である。
【図１６】支払承認利用処理の代理支払拒否メッセージ入力画面の例を示す図である。
【発明を実施するための形態】
【００１９】
以下に、本発明の一態様に係る実施形態を適用した決済システム１について、図面を参照して説明する。
【００２０】
一般に、クレジットカードによる購入対象の商品の代金の決済は普及しているが、クレジットカードの性質上、クレジットカード契約者本人以外の者に購入対象の商品を贈与する場合であっても、クレジットカードの利用を贈与される者が行うことはできない。一方で、そのような場合には、家族カードと呼ばれるクレジットカードの複製を発券しておき当該贈与される者による購入の支払いを代行することができるが、当該家族カードの紛失や悪用に対しては有効な対抗措置が少ない。
【００２１】
本実施形態に係る決済システム１を用いると、利用者はクレジットカード契約者以外の者であって当該クレジットカード契約に係るクレジットカード媒体を持たない者が、安全かつ簡易に契約者のクレジットカード機能を利用することができる。また、クレジットカード機能の悪用に対する安全性をより高くすることができる。
【００２２】
図１は、本実施形態に係る決済システム１のブロック図である。決済システム１は、決済装置１００と、購入者端末２００と、クレジットカード契約者端末３００と、店舗決済装置４００と、を含む。
【００２３】
購入者端末２００は、クレジットカード契約者でなく、契約者になり替わり一時的にクレジットカード機能を利用し臨席する購入者が有し、使用する端末である。なお、クレジットカード契約者でない者が契約者になり替わり、一時的にクレジットカード機能を利用して購入する仕組みを、本実施形態においては代理決済と記載することがある。クレジットカード契約者端末３００は、決済装置１００とネットワーク５０を介して通信可能に接続され、クレジットカードに係るクレジットカード契約の当事者が使用するための端末である。店舗決済装置４００は、商品等の支払いを受ける者が有し、商品代金の支払と領収書の発行等の商品購入に係る金銭授受に係る処理を行う。例えば、店舗決済装置４００は、ＰＯＳ（Ｐｏｉｎｔ  Ｏｆ  Ｓａｌｅｓ）端末である。
【００２４】
なお、購入者端末２００と、クレジットカード契約者端末３００とは、顧客がクレジットカードに無関係に保持使用しているスマートフォン等の端末であってもよい。
【００２５】
ネットワーク５０は、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネット、携帯電話網等の通信網である。なお、ネットワーク５０は、携帯電話通信網等の無線通信網上のＶＰＮ（Ｖｉｒｔｕａｌ  Ｐｒｉｖａｔｅ  Ｎｅｔｗｏｒｋ）等であってもよい。
【００２６】
決済装置１００は、いわゆるサーバー装置である。しかし、これに限られず、決済装置１００は、パソコンやスマートフォン、ワークステーション、ＰＤＡ（Ｐｅｒｓｏｎａｌ  Ｄａｔａ  Ａｓｓｉｓｔａｎｔ）、タブレット装置等各種の情報処理装置であってもよい。
【００２７】
決済装置１００は、ネットワーク５０を介して購入者端末２００からクレジットカード機能による代理支払者の指定を含む事前利用承認の要求を受け付ける。また、決済装置１００は、ネットワーク５０を介して購入者端末２００からクレジットカード機能による代理支払者の指定を含む利用承認の要求を受け付ける。また、決済装置１００は、ネットワーク５０を介して店舗決済装置４００からクレジットカードを用いた商品等の購入に係る決済の要求を受け付ける。
【００２８】
また、決済装置１００は、利用承認を伴う決済の要求を受け付けると、事前承認が有る場合にはその条件の範囲内の決済であれば決済処理を行い、そうでない場合には決済を拒否する。事前承認が無い場合には、クレジットカード契約者端末３００へ決済内容を送信して承認を受け付ける。承認された場合には、決済処理を行い、そうでない場合には決済を拒否する。
【００２９】
購入者端末２００と、クレジットカード契約者端末３００とは、例えばパーソナルコンピュータやタブレット装置等の端末である。しかし、これに限られず、各装置は、スマートフォン、ワークステーション、ＰＤＡ等各種の情報処理装置であってもよい。
【００３０】
購入者端末２００と、クレジットカード契約者端末３００とは、ネットワーク５０を介して決済装置１００から所定の画面の表示出力を行う指示を受けると、出力処理を行う。また、購入者端末２００と、クレジットカード契約者端末３００とは、自装置に備えられた後述の入力装置等から受け付けた入力情報を、ネットワーク５０を介して決済装置１００へ送信する。
【００３１】
店舗決済装置４００は、クレジットカードあるいはこれに代えて購入者端末２００の画面に表示されたコード化された画像、例えばバーコードあるいは二次元バーコード（例えば、ＱＲコード（登録商標））等を読み取り、決済装置１００へ、決済対象の商品の識別子とともに送信する。店舗決済装置４００がコード化された画像を読み取る処理においては、画像に映りこんだバーコード等の画像の範囲を検出して、当該範囲の画像を決済装置１００へ送信する。それに限られず、店舗決済装置４００は、画像に映りこんだ文字をＯＣＲ（Ｏｐｔｉｃａｌ  Ｃｈａｒａｃｔｅｒ  Ｒｅｃｏｇｎｉｔｉｏｎ）により解析してカード番号を特定するものであってもよい。また、店舗決済装置４００は、例えばＩＣタグリーダーを介して購入者端末２００が有する電子情報を読み取り、決済装置１００へ送信するようにしてもよい。
【００３２】
決済装置１００には、制御部１１０と、記憶部１２０と、通信部１３０と、が含まれる。制御部１１０には、事前支払承認処理部１１１と、支払承認処理部１１２と、クレジットカード決済処理部１１３と、請求処理部１１４と、バーコード生成部１１５と、が含まれる。
【００３３】
事前支払承認処理部１１１は、代理決済に際し、その利用に関する事前の承認を当該クレジットカードの契約者から得る事前承認の処理を実施する。すなわち、事前支払承認処理部１１１は、購入者端末２００から購入予定の商品等の情報を受け付けて、クレジットカード契約者端末３００へ当該購入予定の商品および承認の依頼者を特定する情報を受け渡す。事前支払承認処理部１１１は、クレジットカード契約者端末３００から承認する商品の情報を受け付けると、承認済みであることを示す許可識別子を付与して、記憶部１２０へ格納する。あわせて、事前支払承認処理部１１１は、クレジットカードの契約者が予め許可した許可対象者からの決済対象の条件の希望について承認を得ると、バーコード生成部１１５に依頼して、カード識別子と許可識別子とを含む画像情報を生成する。
【００３４】
また、事前支払承認処理部１１１は、バーコードが映りこんだ画像を受け付け、バーコードを解析してバーコードに含まれるカード識別子および許可識別子を特定する。また、事前支払承認処理部１１１は、商品のタグ情報についての商品、価格、数量が、代理決済の許可を得られた範囲内であるか、および許可識別子が許可時のものと一致するか否かを判定する。
【００３５】
また、事前支払承認処理部１１１は、決済対象のうち承認を得られなかった対象について、承認しない理由を示すメッセージとして入力されたテキスト情報を決済依頼元の購入者端末２００へ送信し、表示させる。
【００３６】
支払承認処理部１１２は、代理決済に際し、その利用に関する支払い時点での承認を当該クレジットカードの契約者から得る承認の処理を実施する。すなわち、支払承認処理部１１２は、購入者端末２００から購入対象の商品等の情報を受け付けて、クレジットカード契約者端末３００へ当該購入対象の商品および承認の依頼者を特定する情報を受け渡す。支払承認処理部１１２は、クレジットカード契約者端末３００から承認する商品の情報を受け付けると、クレジットカード決済処理部１１３に決済処理を行わせる。
【００３７】
クレジットカード決済処理部１１３は、クレジットカード機能を利用可能なカードを用いた清算と、代理決済を利用可能な購入者端末２００を用いた事前承認による清算と、代理決済を利用可能な購入者端末２００を用いた購入時の承認による清算と、を行うことができる。なお、クレジットカード決済処理部１１３は、代理決済による清算については、事前あるいは即時の承認が有る場合には決済を行う。このようにすることで、契約者以外によるクレジットカード機能の利用を可能とすることができる。また、不正利用を回避することもできる。
【００３８】
請求処理部１１４は、クレジットカード機能を用いた支払いについてクレジット運営会社へ支払いを要求するため、請求に係る処理を行う。具体的には、請求処理部１１４は、請求書をクレジットカード契約者宛に出力して送信する等の処理を行う。なお、当該請求書は、印刷された紙媒体であってもよいし、電子データであってもよい。
【００３９】
バーコード生成部１１５は、バーコード情報を生成する。具体的には、バーコード生成部１１５は、クレジットカードのカード識別子等、含めたい所定の文字情報を受け付けてコード化し、当該文字情報に対応付けられた所定のバーコードを生成する。なお、バーコード生成部１１５は、コード化された視覚的に把握可能な画像情報を生成するものであればよく、例えば二次元バーコード等のバーコードやカラーコード、ホログラムコード等であってもよい。
【００４０】
記憶部１２０には、カード情報記憶部１２１と、購入希望情報記憶部１２２と、が含まれる。
【００４１】
図２は、カード情報記憶部１２１に格納されるデータ構造を示す図である。カード情報記憶部１２１には、クレジットカードを識別するカード識別子１２１Ａごとに、カード契約者１２１Ｂと、連絡先１２１Ｃと、代理決済許可対象者１２１Ｄと、が対応付けて格納される。カード契約者１２１Ｂは、クレジットカード契約者を特定する情報、例えば契約者番号等である。連絡先１２１Ｃは、カード契約者１２１Ｂにより特定される契約者の連絡先である。代理決済許可対象者１２１Ｄは、カード契約者１２１Ｂにより特定される契約者が予め代理決済を許可する対象者である。
【００４２】
図３は、購入希望情報記憶部１２２に格納されるデータ構造を示す図である。購入希望情報記憶部１２２には、契約者ではなく、代理決済を希望する者による代理決済による購入対象ごとに、上限金額、許可識別子、許可期限等の情報が格納される。
【００４３】
購入希望情報記憶部１２２には、カード識別子１２２Ａと、希望識別子１２２Ｂと、希望者１２２Ｃと、購入対象１２２Ｄと、上限金額１２２Ｅと、許可識別子１２２Ｆと、許可期限１２２Ｇと、が含まれる。
【００４４】
カード識別子１２２Ａは、クレジットカードを特定する情報である。希望識別子１２２Ｂは、代理決済の許可の単位となる希望の購入対象のまとまりを特定する情報である。希望者１２２Ｃは、代理決済による決済を希望する者を特定する情報である。購入対象１２２Ｄは、代理決済により決済を希望する対象となる商品やサービスを特定する情報である。上限金額１２２Ｅは、希望識別子１２２Ｂにより特定される代理決済の希望に関して、決済可能な金額の上限を特定する情報である。許可識別子１２２Ｆは、希望識別子１２２Ｂにより特定される代理決済の希望に関して、代理決済を承認されたか否か、承認された場合には当該承認に対して所定のアルゴリズムにより割り当てられる追跡可能な識別子である。許可期限１２２Ｇは、希望識別子１２２Ｂにより特定される代理決済の希望に関して、代理決済の承認が有効な期限を特定する情報である。
【００４５】
通信部１３０は、ネットワーク５０を介して他の装置である購入者端末２００、クレジットカード契約者端末３００および店舗決済装置４００との通信を行う。
【００４６】
購入者端末２００には、表示部２１０と、入力受付部２２０と、通信部２３０と、ブラウザ処理部２４０と、が含まれる。表示部２１０は、決済装置１００から表示を指示された所定の形式の画面情報を通信部２３０から受け取ると、ディスプレイ装置に描画する。入力受付部２２０は、購入者端末２００の操作者、例えば代理決済を依頼する者からの入力指示を受け付け、決済装置１００へ送信する。通信部２３０は、ネットワーク５０を介して他の装置である決済装置１００との通信を行う。
【００４７】
ブラウザ処理部２４０は、Ｗｅｂページの表示を制御するいわゆるインターネットブラウザ機能を実現する処理部である。ブラウザ処理部２４０は、表示部２１０と、入力受付部２２０と、通信部２３０と、を組み合わせてインターネットブラウザ機能を実現する。
【００４８】
クレジットカード契約者端末３００には、表示部３１０と、入力受付部３２０と、通信部３３０と、ブラウザ処理部３４０と、が含まれる。表示部３１０は、決済装置１００から表示を指示された所定の形式の画面情報を通信部３３０から受け取ると、ディスプレイ装置に描画する。入力受付部３２０は、クレジットカード契約者端末３００の操作者、例えば代理決済依頼を受ける者からの入力指示を受け付け、決済装置１００へ送信する。通信部３３０は、ネットワーク５０を介して他の装置である決済装置１００との通信を行う。
【００４９】
ブラウザ処理部３４０は、Ｗｅｂページの表示を制御するいわゆるインターネットブラウザ機能を実現する処理部である。ブラウザ処理部３４０は、表示部３１０と、入力受付部３２０と、通信部３３０と、を組み合わせてインターネットブラウザ機能を実現する。
【００５０】
店舗決済装置４００には、制御部４１０と、記憶部４２０と、通信部４３０と、が含まれる。制御部４１０には、店舗決済処理部４１１と、バーコード読取処理部４１２と、が含まれる。
【００５１】
店舗決済処理部４１１は、購入対象の商品を識別する商品識別子を受け付けると、商品情報記憶部４２１から購入対象の商品の詳細情報を読み出し、決済を行う。店舗決済処理部４１１は、決済を、現金決済、クレジットカード決済、ポイントカード決済等の公知の各種方法と、代理決済による決済と、のいずれかで行う。代理決済による決済の場合には、店舗決済処理部４１１は、承認された代理決済の希望について生成されたバーコードの読み取りを行い、許可識別子を読み出して、商品識別子とともに決済装置１００へ送信する。
【００５２】
バーコード読取処理部４１２は、バーコード等をカメラ等により光学的に読み取り、デコード処理を行って、代理決済に用いるカード識別子等の、バーコードに格納されている情報を取得する。
【００５３】
記憶部４２０には、商品情報記憶部４２１が含まれる。
【００５４】
図４は、商品情報記憶部４２１に格納されるデータ構造を示す図である。商品情報記憶部４２１には、商品を識別する商品識別子４２１Ａごとに、商品名４２１Ｂと、色４２１Ｃと、製造者４２１Ｄと、実勢価格４２１Ｅと、が対応付けて格納される。商品名４２１Ｂと、色４２１Ｃと、製造者４２１Ｄとは、それぞれ商品に係る名称、商品を区別する基調色が有る場合にはその色、商品の製造者、に係る情報である。実勢価格４２１Ｅは、商品の実際の販売価格である。
【００５５】
通信部４３０は、ネットワーク５０を介して他の装置である購入者端末２００、クレジットカード契約者端末３００および決済装置１００との通信を行う。
【００５６】
図５は、決済装置１００のハードウェア構成例を示す図である。決済装置１００は、演算装置１０１と、主記憶装置１０２と、外部記憶装置１０３と、通信装置１０４と、各装置をつなぐバス１０５と、を備える。また、他に、決済装置１００は、入力装置を備えるものであってもよい。
【００５７】
演算装置１０１は、例えばＣＰＵ（Ｃｅｎｔｒａｌ  Ｐｒｏｃｅｓｓｉｎｇ  Ｕｎｉｔ）などの演算装置である。
【００５８】
主記憶装置１０２は、例えばＲＡＭ（Ｒａｎｄｏｍ  Ａｃｃｅｓｓ  Ｍｅｍｏｒｙ）などのメモリ装置である。
【００５９】
外部記憶装置１０３は、デジタル情報を記憶可能な、いわゆるハードディスク（Ｈａｒｄ  Ｄｉｓｋ  Ｄｒｉｖｅ）やＳＳＤ（Ｓｏｌｉｄ  Ｓｔａｔｅ  Ｄｒｉｖｅ）あるいはフラッシュメモリなどの不揮発性記憶装置である。
【００６０】
通信装置１０４は、ネットワーク５０等を介して購入者端末２００、クレジットカード契約者端末３００、店舗決済装置４００等の他の装置と通信経路を確立し、情報を送受信するネットワークカード等の装置である。
【００６１】
なお、入力装置は、キーボードやマウス、タッチパネル等の各種入力装置である。
【００６２】
入力装置と、演算装置１０１と、主記憶装置１０２と、外部記憶装置１０３と、通信装置１０４とは、バス１０５等の接続導線により互いに接続される。
【００６３】
上記した決済装置１００の事前支払承認処理部１１１と、支払承認処理部１１２と、クレジットカード決済処理部１１３と、請求処理部１１４と、バーコード生成部１１５とは、演算装置１０１に処理を行わせるプログラムによって実現される。このプログラムは、主記憶装置１０２、外部記憶装置１０３または図示しないＲＯＭ装置内に記憶され、実行にあたって主記憶装置１０２上にロードされ、演算装置１０１により実行される。
【００６４】
また、決済装置１００の記憶部１２０は、主記憶装置１０２及び外部記憶装置１０３により実現される。また、決済装置１００の通信部１３０は、通信装置１０４により実現される。以上が、決済装置１００のハードウェア構成例である。
【００６５】
決済装置１００のそれぞれの構成は、処理内容に応じて、さらに多くの構成要素に分類することもできる。また、１つの構成要素がさらに多くの処理を実行するように分類することもできる。
【００６６】
また、各制御部（事前支払承認処理部１１１、支払承認処理部１１２、クレジットカード決済処理部１１３、請求処理部１１４、バーコード生成部１１５）は、それぞれの機能を実現する専用のハードウェア（ＡＳＩＣ、ＧＰＵなど）により構築されてもよい。また、各制御部の処理が一つのハードウェアで実行されてもよいし、複数のハードウェアで実行されてもよい。
【００６７】
図６は、購入者端末２００のハードウェア構成例を示す図である。購入者端末２００は、入力装置２０１と、演算装置２０２と、外部記憶装置２０３と、主記憶装置２０４と、出力装置２０５と、通信装置２０６と、各装置をつなぐバス２０７と、を備える。
【００６８】
入力装置２０１は、キーボードやマウス、タッチパネル等の各種入力装置である。演算装置２０２は、例えばＣＰＵなどの演算装置である。外部記憶装置２０３は、デジタル情報を記憶可能な、いわゆるハードディスクやＳＳＤあるいはフラッシュメモリなどの不揮発性記憶装置である。
【００６９】
主記憶装置２０４は、例えばＲＡＭなどのメモリ装置である。出力装置２０５は、例えば液晶ディスプレイや、有機ＥＬディスプレイ等の表示装置である。通信装置２０６は、ネットワーク５０等を介して決済装置１００等の他の装置と通信経路を確立し、情報を送受信するネットワークカード等の装置である。
【００７０】
入力装置２０１と、演算装置２０２と、外部記憶装置２０３と、主記憶装置２０４と、出力装置２０５と、通信装置２０６とは、バス２０７等の接続導線により互いに接続される。
【００７１】
上記した購入者端末２００の表示部２１０と、入力受付部２２０と、ブラウザ処理部２４０とは、演算装置２０２に処理を行わせるプログラムによって実現される。このプログラムは、主記憶装置２０４、外部記憶装置２０３または図示しないＲＯＭ装置内に記憶され、実行にあたって主記憶装置２０４上にロードされ、演算装置２０２により実行される。
【００７２】
また、購入者端末２００の通信部２３０は、通信装置２０６により実現される。以上が、購入者端末２００のハードウェア構成例である。
【００７３】
購入者端末２００のそれぞれの構成は、処理内容に応じて、さらに多くの構成要素に分類することもできる。また、１つの構成要素がさらに多くの処理を実行するように分類することもできる。
【００７４】
また、各制御部（表示部２１０、入力受付部２２０、通信部２３０、ブラウザ処理部２４０）は、ハードウェア（ＡＳＩＣ、ＧＰＵなど）により構築されてもよい。また、各制御部の処理が一つのハードウェアで実行されてもよいし、複数のハードウェアで実行されてもよい。
【００７５】
なお、クレジットカード契約者端末３００についても、購入者端末２００と略同一のハードウェア構成を備えるため、説明は省略する。
【００７６】
図７は、店舗決済装置４００のハードウェア構成例を示す図である。店舗決済装置４００は、入力装置４０１と、演算装置４０２と、主記憶装置４０３と、出力装置４０４と、通信装置４０５と、撮像装置４０６と、各装置をつなぐバス４０７と、を備える。
【００７７】
入力装置４０１は、キーボードやマウス、タッチパネル等の各種入力装置である。演算装置４０２は、例えばＣＰＵなどの演算装置である。主記憶装置４０３は、例えばＲＡＭなどのメモリ装置である。出力装置４０４は、例えば液晶ディスプレイや、有機ＥＬディスプレイ等の表示装置である。通信装置４０５は、ネットワーク５０等を介して決済装置１００等の他の装置と通信経路を確立し、情報を送受信するネットワークカード等の装置である。撮像装置４０６は、いわゆるカメラであり、所定の視野角について光学映像をデジタル画像データとして得る。
【００７８】
入力装置４０１と、演算装置４０２と、主記憶装置４０３と、出力装置４０４と、通信装置４０５と、撮像装置４０６とは、バス４０７等の接続導線により互いに接続される。
【００７９】
上記した店舗決済装置４００の店舗決済処理部４１１と、バーコード読取処理部４１２とは、演算装置４０２に処理を行わせるプログラムによって実現される。このプログラムは、主記憶装置４０３または図示しないＲＯＭ装置内に記憶され、実行にあたって主記憶装置４０３上にロードされ、演算装置４０２により実行される。また、店舗決済装置４００の商品情報記憶部４２１は、主記憶装置４０３または図示しないＲＯＭ装置内に記憶されて実現される。また、バーコード読取処理部４１２は、撮像装置４０６を制御してデジタル画像データとしてバーコードを読み取る。
【００８０】
また、店舗決済装置４００の通信部４３０は、通信装置４０５により実現される。以上が、店舗決済装置４００のハードウェア構成例である。
【００８１】
店舗決済装置４００のそれぞれの構成は、処理内容に応じて、さらに多くの構成要素に分類することもできる。また、１つの構成要素がさらに多くの処理を実行するように分類することもできる。
【００８２】
また、各制御部（店舗決済処理部４１１、バーコード読取処理部４１２）は、ハードウェア（ＡＳＩＣ、ＧＰＵなど）により構築されてもよい。また、各制御部の処理が一つのハードウェアで実行されてもよいし、複数のハードウェアで実行されてもよい。
【００８３】
[動作の説明]次に、本実施形態における決済システム１の動作を説明する。
【００８４】
図８は、事前支払承認利用処理のフローを示す図である。事前支払承認利用処理は、代理決済を希望する者すなわちクレジットカード契約者でない者が用いる購入者端末２００から開始の指示を得ると、開始される。なお、購入者端末２００から開始の指示を得た場合に限らず、クレジットカード契約者端末３００やその他図示しない各種端末から指示を得た場合であっても、事前支払承認利用処理は開始される。なお、事前支払承認利用処理は、クレジットカード機能を利用した購入の事前に承認を得る処理と、実際に決済を行う時点で行う処理と、決済に基づいてクレジットカード契約者に請求を行う処理と、を含むフローである。
【００８５】
まず、決済装置１００の事前支払承認処理部１１１は、購入者から希望商品、数量、概算価格等と、代理支払者の指定を受け付ける（ステップＳ００１）。具体的には、事前支払承認処理部１１１は、所定の入力画面を購入者端末２００へ送信して、希望商品とその数量、各商品の概算価格等の情報と、代理支払者の指定の入力を受け付ける。事前支払承認処理部１１１は、代理支払者に係る代理決済許可対象者１２１Ｄからの指定か否かを判定し、代理支払者に係る代理決済許可対象者１２１Ｄからの指定であれば、購入対象の希望商品について共通する希望識別子を付与し、購入希望情報記憶部１２２に格納する。すなわち、事前支払承認処理部１１１は、カード識別子１２２Ａ、希望識別子１２２Ｂ、希望者１２２Ｃ、購入対象１２２Ｄ、上限金額１２２Ｅを希望するそれぞれの商品ごとに対応付けて購入希望情報記憶部１２２へ格納する。代理支払者に係る代理決済許可対象者１２１Ｄからの指定でない場合には、事前支払承認処理部１１１は、事前支払承認利用処理を終了させる。
【００８６】
そして、事前支払承認処理部１１１は、代理支払者へ商品、価格、数量等の商品リストを送信する（ステップＳ００２）。具体的には、事前支払承認処理部１１１は、ステップＳ００１にて受け付けた商品、価格、数量等を含む商品リストを生成し、受け付けた代理支払者が有するクレジットカード契約者端末３００へ送信する。
【００８７】
そして、事前支払承認処理部１１１は、代理支払の応答を受け付けて、その内容を判定する（ステップＳ００３）。具体的には、事前支払承認処理部１１１は、ステップＳ００２において代理支払者のクレジットカード契約者端末３００宛に送信した商品リストに対して、代理支払を許可する商品をチェックした応答および代理支払依頼を行った者へのメッセージを受け付ける。いずれの商品もチェックされていない場合には、事前支払承認処理部１１１は、全部拒絶であると判定し、受け付けたメッセージを特定し、ステップＳ００４へ制御を進める。一部の商品または全部の商品についてチェックされている場合には、事前支払承認処理部１１１は、一部または全部許可であると判定し、ステップＳ００５へ制御を進める。
【００８８】
応答が全部拒絶である場合（ステップＳ００３にて「全部拒絶」の場合）には、事前支払承認処理部１１１は、拒絶情報とメッセージを購入者へ送信する（ステップＳ００４）。具体的には、事前支払承認処理部１１１は、代理支払を依頼した商品がすべて拒絶された旨と、受け付けたメッセージと、を示す情報を画面に含めて購入者端末２００に送信し表示させる。そして、事前支払承認処理部１１１は、事前支払承認利用処理を終了させる。
【００８９】
応答が一部または全部許可である場合（ステップＳ００３にて「一部または全部許可」の場合）には、事前支払承認処理部１１１は、代理支払を許可する商品を受け付けて、カード識別子と許可識別子を含むバーコード情報を生成しメッセージと共に購入者へ送信する（ステップＳ００５）。具体的には、事前支払承認処理部１１１は、当該代理支払を希望する希望識別子が関連付けられた商品のうち、代理支払を許可する商品について、互いに共通する許可識別子を付与して購入希望情報記憶部１２２の許可識別子１２２Ｆに格納する。また、事前支払承認処理部１１１は、当該許可の期限を所定のアルゴリズムにより算出して、代理支払を許可する商品それぞれの許可期限１２２Ｇへ格納する。そして、事前支払承認処理部１１１は、バーコード生成部１１５に対して、カード識別子と、当該許可識別子と、を少なくとも含む情報を所定のアルゴリズムでコード化して光学的に読取可能なバーコード情報を画像情報として生成させる。そして、事前支払承認処理部１１１は、代理支払を許可した者が許可の際に入力したメッセージ（例えば、承認しない商品について、承認しない理由を示すメッセージ等）があればそのメッセージテキストと共に、画像情報であるバーコード情報を購入者端末２００へ送信する。
【００９０】
そして、事前支払承認処理部１１１は、商品の情報とバーコード情報を読み取った情報とを含む、クレジット決済依頼を受け付ける（ステップＳ００６）。具体的には、事前支払承認処理部１１１は、購入希望者が実際に希望商品を購入するために販売店舗等へ赴いた際に、店舗決済装置４００の店舗決済処理部４１１により商品のタグ情報と、ステップＳ００５において送信されたバーコード情報が写り込んだ画像情報と、を含む決済依頼が決済装置１００へ送信されると、これを受け付ける。
【００９１】
事前支払承認処理部１１１は、事前承認済みの商品、価格、数量内であるか否かを判定する（ステップＳ００７）。具体的には、事前支払承認処理部１１１は、ステップＳ００６において受け付けたクレジット決済依頼に係る情報を解析して、商品のタグ情報についての商品、価格、数量が、ステップＳ００５において代理決済の許可を得られた範囲内であるか、および許可識別子が許可時のものと一致するか否かを判定する。
【００９２】
なお、商品については、クレジット決済依頼には、代理決済の許可を得られた商品のみが含まれていることが、代理決済の許可を得られた範囲内であるものとする。また、価格と数量については、クレジット決済依頼に含まれる商品についての価格と数量とが、それぞれ代理決済の許可を得られた上限の価格および数量以下である場合に、範囲内であるものとする。ただし、例えば、価格と数量については、クレジット決済依頼に含まれる商品についての価格と数量の積を合計した額が、それぞれ代理決済の許可を得られた価格および数量の積の合計した額以下である場合に、範囲内であるものとするようにしてもよい。
【００９３】
事前承認済みの商品、価格、数量内でない（ステップＳ００７にて「Ｎｏ」の）場合には、事前支払承認処理部１１１は、制御をステップＳ００６へ戻す。
【００９４】
事前承認済みの商品、価格、数量内である（ステップＳ００７にて「Ｙｅｓ」の）場合には、クレジットカード決済処理部１１３および請求処理部１１４は、決済・請求処理を行う（ステップＳ００８）。具体的には、クレジットカード決済処理部１１３は、所定のカード決済の処理を実施して決済する。そして、請求処理部１１４は、カード決済処理に基づいて、所定の請求処理をクレジットカード契約者宛てに行う
【００９５】
そして、事前支払承認処理部１１１は、取引成立を代理支払者へ通知する（ステップＳ００９）。具体的には、事前支払承認処理部１１１は、取引が成立した、すなわちクレジットカードが使用されたことを示す画面情報を、クレジットカード契約者端末３００へ送信する。
【００９６】
以上が、事前支払承認利用処理のフローである。事前支払承認利用処理によれば、クレジットカード契約者以外の者であって当該クレジットカード契約に係るクレジットカード媒体を持たない者が、安全かつ簡易に契約者のクレジットカード機能を利用することができる。
【００９７】
図９は、支払承認利用処理のフローを示す図である。支払承認利用処理は、代理決済を希望する者すなわちクレジットカード契約者でない者が用いる購入者端末２００から開始の指示を得ると、開始される。なお、購入者端末２００から開始の指示を得た場合に限らず、クレジットカード契約者端末３００やその他図示しない各種端末から指示を得た場合であっても、支払承認利用処理は開始される。なお、支払承認利用処理は、クレジットカード機能を利用した購入の承認を得る処理と、実際に決済を行う時点で行う処理と、決済に基づいてクレジットカード契約者に請求を行う処理と、を含むフローである。
【００９８】
まず、決済装置１００の支払承認処理部１１２は、購入者から代理支払者の指定を受け付ける（ステップＳ１０１）。具体的には、支払承認処理部１１２は、所定の入力画面を購入者端末２００へ送信して、代理支払者の指定の入力を受け付ける。支払承認処理部１１２は、代理支払者に係る代理決済許可対象者１２１Ｄからの指定か否かを判定し、代理支払者に係る代理決済許可対象者１２１Ｄからの指定であれば、支払承認処理部１１２は、当該代理支払者の指定ごとに希望識別子を付与し、購入希望情報記憶部１２２に格納する。すなわち、支払承認処理部１１２は、希望識別子１２２Ｂ、希望者１２２Ｃを希望するそれぞれの商品ごとに対応付けて購入希望情報記憶部１２２へ格納する。代理支払者に係る代理決済許可対象者１２１Ｄからの指定でない場合には、支払承認処理部１１２は、支払承認利用処理を終了させる。
【００９９】
そして、支払承認処理部１１２は、代理支払者へ代理支払処理開始通知を送信する（ステップＳ１０２）。具体的には、支払承認処理部１１２は、ステップＳ１０１にて受け付けた代理支払者が有するクレジットカード契約者端末３００へ、代理支払処理の開始を通知するメッセージおよびその表示画面を送信する。
【０１００】
そして、支払承認処理部１１２は、代理支払処理の開始の通知に対する応答およびメッセージを受け付けて、その内容を判定する（ステップＳ１０３）。具体的には、支払承認処理部１１２は、ステップＳ１０２において代理支払者のクレジットカード契約者端末３００宛に送信した代理支払処理開始通知に対して、代理支払を許可する応答を受け付ける。代理支払を拒絶する応答である場合には、支払承認処理部１１２は、拒絶であると判定し、受け付けたメッセージ（例えば、承認しない理由を示すメッセージ等）を特定し、ステップＳ１０４へ制御を進める。代理支払を許可する応答である場合には、支払承認処理部１１２は、許可であると判定し、ステップＳ１０５へ制御を進める。
【０１０１】
応答が拒絶である場合（ステップＳ１０３にて「拒絶」の場合）には、支払承認処理部１１２は、拒絶情報とメッセージを購入者へ送信する（ステップＳ１０４）。具体的には、支払承認処理部１１２は、代理支払の依頼が拒絶された旨と、受け付けたメッセージと、を示す情報を画面に含めて購入者端末２００に送信し表示させる。そして、支払承認処理部１１２は、支払承認利用処理を終了させる。
【０１０２】
応答が許可である場合（ステップＳ１０３にて「許可」の場合）には、支払承認処理部１１２は、カード識別子を含むバーコード情報を生成し購入者へ送信する（ステップＳ１０５）。具体的には、支払承認処理部１１２は、当該代理支払の希望識別子について、カード識別子を付与して購入希望情報記憶部１２２のカード識別子１２２Ａに格納する。また、支払承認処理部１１２は、当該許可の期限を所定のアルゴリズムにより算出して、代理支払を許可する商品それぞれの許可期限１２２Ｇへ格納する。そして、支払承認処理部１１２は、バーコード生成部１１５に対して、カード識別子を少なくとも含む情報を所定のアルゴリズムでコード化して光学的に読取可能なバーコード情報を画像情報として生成させる。そして、支払承認処理部１１２は、画像情報であるバーコード情報を購入者端末２００へ送信する。
【０１０３】
そして、支払承認処理部１１２は、商品の情報とバーコード情報を読み取った情報とを含む、クレジット決済依頼を受け付ける（ステップＳ１０６）。具体的には、支払承認処理部１１２は、購入希望者が実際に希望商品を購入するために販売店舗等へ赴いた際に、店舗決済装置４００の店舗決済処理部４１１により商品のタグ情報と、ステップＳ１０５において送信されたバーコード情報を読み取った情報と、を含む決済依頼が決済装置１００へ送信されると、これを受け付ける。
【０１０４】
支払承認処理部１１２は、代理支払者へ支払可否を問い合わせる（ステップＳ１０７）。具体的には、支払承認処理部１１２は、ステップＳ１０６において受け付けたクレジット決済依頼に係る情報を解析して、商品のタグ情報についての商品、価格、数量を示す商品リストと、商品ごとの支払の可否を問い合わせる画面を生成して、クレジットカード契約者端末３００へ送信する。
【０１０５】
そして、支払承認処理部１１２は、支払が可能であるか否かを判定する（ステップＳ１０８）。具体的には、支払承認処理部１１２は、ステップＳ１０７において代理支払者のクレジットカード契約者端末３００宛に送信した商品リストに対して、代理支払を許可する商品をチェックした応答および代理支払依頼を行った者へのメッセージを受け付ける。いずれの商品もチェックされていない場合には、支払承認処理部１１２は、支払可能でないと判定し、受け付けたメッセージを特定し、ステップＳ１０６へ制御を戻す（ステップＳ１０８にて「Ｎｏ」）。一部の商品または全部の商品についてチェックされている場合には、支払承認処理部１１２は、支払可能であると判定し、受け付けたメッセージを特定し、ステップＳ１０９へ制御を進める。
【０１０６】
支払可能である（ステップＳ１０８にて「Ｙｅｓ」の）場合には、クレジットカード決済処理部１１３および請求処理部１１４は、決済・請求処理を行う（ステップＳ１０９）。具体的には、クレジットカード決済処理部１１３は、代理支払を許可する商品について、所定のカード決済の処理を実施して決済する。そして、請求処理部１１４は、カード決済処理に基づいて、所定の請求処理をクレジットカード契約者宛てに行う。また、支払承認処理部１１２は、代理支払を承認する商品の情報とメッセージを購入者へ送信する。具体的には、支払承認処理部１１２は、受け付けたメッセージを示す情報を画面に含めて購入者端末２００に送信し表示させる。
【０１０７】
そして、支払承認処理部１１２は、取引成立を代理支払者へ通知する（ステップＳ１１０）。具体的には、支払承認処理部１１２は、取引が成立した、すなわちクレジットカードが使用されたことを示す画面情報を、クレジットカード契約者端末３００へ送信する。
【０１０８】
以上が、支払承認利用処理のフローである。支払承認利用処理によれば、クレジットカード契約者以外の者であって当該クレジットカード契約に係るクレジットカード媒体を持たない者が、安全かつ簡易に契約者のクレジットカード機能を利用することができる。
【０１０９】
図１０は、事前支払承認利用処理の代理支払者選択画面５００の例を示す図である。代理支払者選択画面５００は、購入者端末２００において、代理支払をする者を択一的に受け付ける画面である。代理支払者選択画面５００には、代理支払を依頼する者が択一的に（本実施形態では、「山田太郎」の選択を受け付ける第一の選択肢５０１と、その他の選択を受け付ける第二の選択肢５０２として）選択可能に表示される。いずれかの選択肢を選択状態にして、依頼するボタン５０３への入力を受け付けると、事前支払承認処理部１１１は、後述する事前承認商品入力画面５５０へ画面を遷移させる。キャンセルボタン５０４は、入力を受け付けると、ブラウザ処理部２４０が処理を終了する。なお、代理支払者選択画面５００は、決済装置１００により生成されてブラウザ処理部２４０により表示されるものであってもよいし、購入者端末２００において所定のプログラムにより生成されてブラウザ処理部２４０により表示されるものであってもよい。
【０１１０】
図１１は、事前支払承認利用処理の事前承認商品入力画面５５０の例を示す図である。事前承認商品入力画面５５０は、購入者端末２００において、事前支払承認対象となる商品とその個数と、概算金額の入力を受け付ける画面である。事前承認商品入力画面５５０には、商品名入力受付領域５５１、個数入力受付領域５５２、概算金額入力受付領域５５３等の上述の購入希望商品の情報の入力を受け付ける入力受付領域と、さらなる代理決済対象の商品の入力を受け付けるための事前承認商品入力画面５５０を表示する指示を受け付ける商品追加ボタン５５４と、入力受付領域に入力された購入希望商品を決済装置１００へ送信する指示を受け付ける代理支払依頼ボタン５５５と、画面をひとつ前に戻す指示を受け付ける戻るボタン５５６と、が含まれる。なお、事前承認商品入力画面５５０は、決済装置１００により生成されてブラウザ処理部２４０により表示されるものであってもよいし、購入者端末２００において所定のプログラムにより生成されてブラウザ処理部２４０により表示されるものであってもよい。
【０１１１】
図１２は、事前支払承認利用処理の事前承認画面６００の例を示す図である。事前承認画面６００には、事前承認の対象となる商品ごとに選択入力可能な商品情報表示領域６０１と、事前承認依頼に対して選択入力した商品について承認する指示を受け付けると、決済装置１００へその情報を送信する代理決済承認ボタン６０２と、事前承認依頼に対して承認しない指示を受け付ける拒否するボタン６０３と、図示しないメッセージ入力領域と、が含まれる。なお、事前承認画面６００は、決済装置１００により生成されてクレジットカード契約者端末３００のブラウザ処理部３４０により表示されるものであってもよいし、クレジットカード契約者端末３００において所定のプログラムにより生成されてブラウザ処理部３４０により表示されるものであってもよい。
【０１１２】
図１３は、支払承認利用処理の代理支払メッセージ画面７００の例を示す図である。代理支払メッセージ画面７００には、代理支払の開始を依頼する際の購入者からのメッセージを表示するメッセージ表示領域７０１と、入力を受け付けると、代理支払を開始するよう決済装置１００へ所定の情報を送信する代理支払を開始するボタン７０２と、代理支払依頼に対してメッセージの入力を受け付けて代理支払を拒否する指示を受け付ける、メッセージを入力して拒否するボタン７０３と、代理支払依頼に対して代理支払を拒否する指示を受け付ける、拒否するボタン７０４と、が含まれる。なお、代理支払メッセージ画面７００は、決済装置１００により生成されてクレジットカード契約者端末３００のブラウザ処理部３４０により表示されるものであってもよいし、クレジットカード契約者端末３００において所定のプログラムにより生成されてブラウザ処理部３４０により表示されるものであってもよい。
【０１１３】
図１４は、支払承認利用処理の代理支払承認画面７５０の例を示す図である。代理支払承認画面７５０には、代理決済による支払承認の対象となる商品ごとに選択入力可能な商品情報表示領域７５１と、代理支払依頼に対して選択入力した商品について承認する指示を受け付けると、決済装置１００へその情報を送信する次へボタン７５２と、代理支払依頼に対して承認しない指示を受け付ける拒否するボタン７５３と、が含まれる。なお、代理支払承認画面７５０は、決済装置１００により生成されてクレジットカード契約者端末３００のブラウザ処理部３４０により表示されるものであってもよいし、クレジットカード契約者端末３００において所定のプログラムにより生成されてブラウザ処理部３４０により表示されるものであってもよい。
【０１１４】
図１５は、支払承認利用処理の代理支払確認画面８００の例を示す図である。代理支払確認画面８００には、代理決済による支払を承認しようとする商品をリストする代理支払商品表示領域８０１と、支払を承認しようとする商品のリストに示された商品の代理支払依頼に対して承認を確定する指示を受け付けると、決済装置１００へその情報を送信する承認ボタン８０２と、代理支払依頼に対して承認しない指示を受け付ける拒否するボタン８０３と、が含まれる。なお、代理支払商品表示領域８０１には、支払承認利用処理の代理支払承認画面７５０における商品情報表示領域７５１において選択入力された商品が示される。なお、代理支払確認画面８００は、決済装置１００により生成されてクレジットカード契約者端末３００のブラウザ処理部３４０により表示されるものであってもよいし、クレジットカード契約者端末３００において所定のプログラムにより生成されてブラウザ処理部３４０により表示されるものであってもよい。
【０１１５】
図１６は、支払承認利用処理の代理支払拒否メッセージ入力画面８５０の例を示す図である。代理支払拒否メッセージ入力画面８５０には、例えば代理決済による支払を拒否あるいは承認する商品について、購入者宛のテキスト入力を受け付けるメッセージ入力領域８５１と、代理支払依頼に対して承認しないメッセージを送信して拒否するボタン８５２と、入力を受け付けると前画面に遷移する戻るボタン８５３と、が含まれる。なお、代理支払拒否メッセージ入力画面８５０は、決済装置１００により生成されてクレジットカード契約者端末３００のブラウザ処理部３４０により表示されるものであってもよいし、クレジットカード契約者端末３００において所定のプログラムにより生成されてブラウザ処理部３４０により表示されるものであってもよい。
【０１１６】
以上、本発明に係る実施形態を適用した決済システム１について説明した。当該実施形態によると、クレジットカードを契約者以外が安全かつ簡易に使用することができる。
【０１１７】
本発明は、上記の実施形態に制限されない。上記の実施形態は、本発明の技術的思想の範囲内で様々な変形が可能である。例えば、上記の実施形態においては、店舗での商品購入が例示されているが、これに限られない。例えば、インターネットショッピング等に利用するものとすることができる。
【０１１８】
また、上記した実施形態の技術的要素は、単独で適用されてもよいし、プログラム部品とハードウェア部品のような複数の部分に分けられて適用されるようにしてもよい。
【０１１９】
以上、本発明について、実施形態を中心に説明した。
【符号の説明】
【０１２０】
１・・・決済システム、５０・・・ネットワーク、１００・・・決済装置、１１０・・・制御部、１１１・・・事前支払承認処理部、１１２・・・支払承認処理部、１１３・・・クレジットカード決済処理部、１１４・・・請求処理部、１１５・・・バーコード生成部、１２０・・・記憶部、１２１・・・カード情報記憶部、１２２・・・購入希望情報記憶部、１３０・・・通信部、２００・・・購入者端末、２１０・・・表示部、２２０・・・入力受付部、２３０・・・通信部、２４０・・・ブラウザ処理部、３００・・・クレジットカード契約者端末、３１０・・・表示部、３２０・・・入力受付部、３３０・・・通信部、３４０・・・ブラウザ処理部、４００・・・店舗決済装置、４１０・・・制御部、４１１・・・店舗決済処理部、４１２・・・バーコード読取処理部、４２０・・・記憶部、４２１・・・商品情報記憶部、４３０・・・通信部
【図１】
2018005734.tif 000003
【図２】
2018005734.tif 000004
【図３】
2018005734.tif 000005
【図４】
2018005734.tif 000006
【図５】
2018005734.tif 000007
【図６】
2018005734.tif 000008
【図７】
2018005734.tif 000009
【図８】
2018005734.tif 000010
【図９】
2018005734.tif 000011
【図１０】
2018005734.tif 000012
【図１１】
2018005734.tif 000013
【図１２】
2018005734.tif 000014
【図１３】
2018005734.tif 000015
【図１４】
2018005734.tif 000016
【図１５】
2018005734.tif 000017
【図１６】
2018005734.tif 000018